(57)【要約】      （修正有）【課題】通信端末の使用状態に応じて、通信端末の温度上昇を適切に制御する通信端末を提供する。【解決手段】通信端末１０００は、通信部（ＷＡＮ通信部１１０、ＬＡＮ通信部１３０）と、温度検出部１５０と、温度比較部１６０と、人体接触検出部１７０と、制御部２００とを備えている。通信部は、他の通信端末との間で情報を通信する。温度検出部１５０は、通信端末１０００内部の温度を検出する。温度比較部１６０は、温度検出部１５０により検出された検出温度（ＴＡ）と、予め設定された温度閾値（Ｔ１、Ｔ２）とを比較する。人体接触検出部１７０は、人体の一部が通信端末１０００表面に接触することを検出する。制御部２００は、温度比較部１６０による比較結果と、人体接触検出部１７０による検出結果とに基づいて、通信部の動作を制御する。【選択図】図１
2015226177.tif 000002
【特許請求の範囲】
【請求項１】
他の通信端末との間で情報を通信する通信部と、
端末内部の温度を検出する温度検出部と、
前記温度検出部により検出された検出温度と、予め設定された温度閾値とを比較する温度比較部と、
人体の一部が端末表面に接触することを検出する人体接触検出部と、
前記温度比較部による比較結果と、前記人体接触検出部による検出結果とに基づいて、前記通信部の動作を制御する制御部とを備えた通信端末。
【請求項２】
前記温度比較部は、前記温度検出部により検出された検出温度ＴＡと、予め設定された第１の温度閾値Ｔ１および予め設定された第２の温度閾値Ｔ２（但し、Ｔ１＞Ｔ２）とを比較し、
前記第１の温度閾値Ｔ１は、所定の規格で限界温度として規定された温度であり、前記第２の温度閾値Ｔ２は、人体の一部が接触すると不快と感じられるとされた温度であり、
前記検出温度ＴＡが、前記第１の温度閾値Ｔ１より高いと（ＴＡ＞Ｔ１）、前記温度比較部により判断された場合、前記制御部は、前記通信部の動作を停止する制御を行い、
前記検出温度ＴＡが、前記第１の温度閾値Ｔ２より高く、且つ、前記第１の温度閾値Ｔ１より低いと（Ｔ１＞ＴＡ＞Ｔ２）、前記温度比較部により判定された場合であって、前記人体接触検出部が前記人体の一部が前記端末表面に接触したと検出した場合、前記制御部は、前記通信部の動作を停止する制御を行い、
前記検出温度ＴＡが、前記第１の温度閾値Ｔ１より低いと（Ｔ１＞ＴＡ）、前記温度比較部により判定された場合であって、前記人体接触検出部が前記人体の一部が前記端末表面に接触したと検出した場合、前記制御部は、前記通信部の動作を制限する制御を行う請求項１に記載の通信端末。
【請求項３】
他の通信端末との間で情報を通信する一対の通信部を備え、
前記制御部は、前記温度比較部による比較結果と、前記人体接触検出部による検出結果とに基づいて、前記一対の通信部の何れか一方または双方の動作を制御する請求項１に記載の通信端末。
【請求項４】
前記温度比較部は、前記温度検出部により検出された検出温度ＴＡと、予め設定された第１の温度閾値Ｔ１および予め設定された第２の温度閾値Ｔ２（但し、Ｔ１＞Ｔ２）とを比較し、
前記第１の温度閾値Ｔ１は、所定の規格で限界温度として規定された温度であり、前記第２の温度閾値Ｔ２は、人体の一部が接触すると不快と感じられるとされた温度であり、
前記検出温度ＴＡが、前記第１の温度閾値Ｔ１より高いと（ＴＡ＞Ｔ１）、前記温度比較部により判断された場合、前記制御部は、前記一対の通信部の双方の動作を停止する制御を行い、
前記検出温度ＴＡが、前記第１の温度閾値Ｔ２より高く、且つ、前記第１の温度閾値Ｔ１より低いと（Ｔ１＞ＴＡ＞Ｔ２）、前記温度比較部により判定された場合であって、前記人体接触検出部が前記人体の一部が前記端末表面に接触したと検出した場合、前記制御部は、前記一対の通信部の双方の動作を停止する制御を行い、
前記検出温度ＴＡが、前記第１の温度閾値Ｔ１より低いと（Ｔ１＞ＴＡ）、前記温度比較部により判定された場合であって、前記人体接触検出部が前記人体の一部が前記端末表面に接触したと検出した場合、前記制御部は、前記一対の通信部の一方のうち少なくとも一方の動作を制限する制御を行う請求項３に記載の通信端末。
【請求項５】
前記一対の通信部の各々は、ＭＩＭＯ機能を対応している請求項３または４に記載の通信端末。
【請求項６】
前記制御部は、前記温度比較部による比較結果と、前記人体接触検出部による検出結果とに基づいて、前記通信部の動作を制御するとともに、前記人体接触検出部の動作を制御する請求項１に記載の通信端末。
【請求項７】
前記人体接触検出部は、端末表面に露出するように設けられている請求項１〜６のいずれか１項に記載の通信端末。
【請求項８】
互いに異なる通信速度が設定された通信モードを検出する通信モード検出部を備え、
前記制御部は、前記温度比較部による比較結果と、前記通信モード検出部の検出結果と、前記人体接触検出部による検出結果とに基づいて、前記通信部の動作を制御する請求項１に記載の通信端末。
【発明の詳細な説明】
【技術分野】
【０００１】
本発明は、通信端末に関し、例えば、モバイルルータ装置のように、他の通信端末との間で通信を行うものに関する。
【背景技術】
【０００２】
近年、通信中の通信端末の温度を測定して、この測定温度が閾値以上になると温度上昇を抑制する通信端末が、提案されている。
【０００３】
特許文献１に記載の技術では、装置の温度が閾値以上になった場合に、二次電池への充電電流および充電電圧を制御することにより、装置の温度上昇を抑制する。
【０００４】
特許文献２に記載の技術では、携帯電話機のレシーバ部に設置されたタッチセンサに何らかの接触が検出された場合に、携帯電話機の充電を停止することにより、携帯電話機の温度上昇を抑制する。
【０００５】
特許文献３に記載の技術では、電子装置内部の温度閾値を複数設定して、人体の接触を検出した際の電子装置内部の温度に基づいて温度閾値を切り替えている。そして、電子装置内部の温度が温度閾値を超えた場合に、電子装置の充電を停止することにより、電子装置内部の温度上昇を抑制する。
【０００６】
なお、本発明の参考技術として、さらに、例えば、特許文献４に記載の技術が開示されている。
【先行技術文献】
【特許文献】
【０００７】
【特許文献１】特開２００６−２３００８０号公報
【特許文献２】特開２００７−１６６５００号公報
【特許文献３】特開２０１０−１２４２４６号公報
【特許文献４】特開２０１１−１１４３９０号公報
【発明の概要】
【発明が解決しようとする課題】
【０００８】
しかしながら、特許文献１、２および３に記載の技術では、端末（装置）の温度上昇を抑制する手段として、充電電流または電流電圧の制御や、充電停止を行っている。
【０００９】
一方で、端末の温度上昇の要因には、充電以外の要因も知られている。例えば、動画のストリーム視聴時には、無線部が連続的に動作し、制御部の処理も増大する。このため、端末の温度が上昇することがある。この場合、充電を停止したとしても、端末の温度は上昇してしまう。このため、端末を操作している間に、充電が停止していたとしても、端末の温度上昇により、端末の利用者が不快感を抱く場合があった。
【００１０】
また、特許文献１に記載の技術では、充電制御により端末の温度上昇を抑える技術であるため、少しでも閾値を超えると、充電が停止してしまう問題があった。
【００１１】
特許文献２に記載の技術でも、レシーバ部に設けられたタッチセンサによって、短時間でも何らかの接触を検出すると、端末の温度が比較的に低い場合であっても端末の充電を停止してしまうという問題があった。すなわち、タッチセンサが少しでも何らかの接触を検出すると、充電が停止してしまい、利用者の利便性を損ねてしまうという問題があった。
【００１２】
特許文献３に記載の技術では、特許文献２に記載の技術の問題に対処するために、人感センサの検出時に応じて温度閾値を変化させて、充電の停止を行うことにより、電子装置の温度上昇を抑制している。しかし、特許文献３に記載の技術では、動画ストリーミング視聴時などは人感センサによる検出は端末操作時のみとなる。このため、人感センサの検出時間による細かな温度制御を行えないという問題があった。
【００１３】
本発明は、このような事情を鑑みてなされたものであり、本発明の目的は、通信端末の使用状態に応じて、通信端末の温度上昇を適切に制御することができる通信端末を提供することにある。
【課題を解決するための手段】
【００１４】
本発明の通信端末は、他の通信端末との間で情報を通信する通信部と、端末内部の温度を検出する温度検出部と、前記温度検出部により検出された検出温度と、予め設定された温度閾値とを比較する温度比較部と、人体の一部が端末表面に接触することを検出する人体接触検出部と、前記温度比較部による比較結果と、前記人体接触検出部による検出結果とに基づいて、前記通信部の動作を制御する制御部とを備えている。
【発明の効果】
【００１５】
本発明にかかる通信端末によれば、通信端末の使用状態に応じて、通信端末の温度上昇を適切に制御することができる。
【図面の簡単な説明】
【００１６】
【図１】本発明の第１の実施の形態における通信端末の構成を示すブロック図である。
【図２】本発明の第１の実施の形態における通信端末の外観図である。図２（ａ）は、本発明の第１の実施の形態における通信端末の表面を示す平面図である。図２（ｂ）は、本発明の第１の実施の形態における通信端末の側面を示す図であって、図２（ａ）の矢視Ａを示す図である。図２（ｃ）は、本発明の第１の実施の形態における通信端末の裏面を示す図であって、図２（ａ）の矢視Ｃを示す図である。図２（ｄ）は、本発明の第１の実施の形態における通信端末の側面を示す図であって、図２（ａ）の矢視Ｂを示す図である。
【図３】本発明の第１の実施の形態における通信端末の動作フローを示す図である。
【図４】本発明の第２の実施の形態における通信端末の動作フローを示す図である。
【図５】本発明の第３の実施の形態における通信端末の構成を示すブロック図である。
【図６】本発明の第４の実施の形態における通信端末の構成を示すブロック図である。
【図７】本発明の第４の実施の形態における通信端末の動作フローを示す図である。
【発明を実施するための形態】
【００１７】
＜第１の実施の形態＞
本発明の第１の実施の形態における通信端末１０００の構成について説明する。
【００１８】
図１は、通信端末１０００の構成を示すブロック図である。
【００１９】
通信端末１０００は、例えば、ルータ装置や、携帯電話機や、携帯情報端末などである。図１では、モバイルルータ装置を例示している。この通信端末１０００は、常に手に持って使用されるだけでなく、鞄の中や机上で使用されることも可能である。これにより、通信端末１０００は、後述するように、ＷＡＮ（Wide Area Network）側の通信をＬＡＮ（Local Area Network）側の通信に中継することもできる。
【００２０】
図１に示されるように、通信端末１０００は、ＷＡＮ通信部１１０と、ＷＡＮ通信用アンテナ１２０と、ＬＡＮ通信部１３０と、ＬＡＮ通信用アンテナ１４０と、温度検出部１５０と、温度比較部１６０と、人体接触検出部１７０と、メモリ部１８０と、表示部１９０と、制御部２００とを備えている。
【００２１】
図１に示されるように、ＷＡＮ通信部１１０は、ＷＡＮ通信用アンテナ１２０と、制御部２００に接続されている。ＷＡＮ通信部１１０は、他の通信端末（不図示）との間で情報を通信する。より具体的には、ＷＡＮ通信部１１０は、通信事業者（例えば、ＮＴＴドコモ、ソフトバンクなど）により提供される通信方式（例えば、Ｗ−ＣＤＭＡ（Wideband Code Division Multiple Access）、ＷｉＭＡＸ（Worldwide Interoperability for Microwave Access））や高速通信網から無線ルータを介して通信を行う通信方式（例えば、ＷＬＡＮ）を使用して、他の通信端末（不図示）を通信する。
【００２２】
図１に示されるように、ＷＡＮ通信部１１０は、分配器１１１、受信部１１２、パワーアンプ１１３およびＷＡＮ側モデム部１１４を備えている。なお、ＷＡＮ通信部１１０は、本発明の通信部に対応する。
【００２３】
分配器１１１は、ＷＡＮ通信用アンテナ１２０、受信部１１２およびパワーアンプ１１３に接続されている。分配器１１１は、ＷＡＮ通信用アンテナ１２０に入力される情報を、受信部１１２へ分配する。また、分配器１１１は、パワーアンプ１１３から入力される情報を、ＷＡＮ通信用アンテナ１２０へ分配する。
【００２４】
受信部１１２は、分配器１１１およびＷＡＮ側モデム部１１４に接続されている。受信部１１２は、ＷＡＮ通信用アンテナ１２０に入力される情報を受信する。すなわち、受信部１１２は、他の通信端末（不図示）からの情報を、ＷＡＮ通信用アンテナ１２０を介して、受信する。そして、受信部１１２は、他の通信端末（不図示）からの情報を、ＷＡＮ側モデム部１１４へ出力する。
【００２５】
パワーアンプ１１３は、分配器１１１およびＷＡＮ側モデム部１１４に接続されている。パワーアンプ１１３は、ＷＡＮモデム部１１４で変調された情報を、増幅して、分配器１１１へ出力する。
【００２６】
ＷＡＮ側モデム部１１４は、受信部１１２およびパワーアンプ１１３に接続されている。ＷＡＮ側モデム部１１４は、受信データの復調を行う。具体的には、ＷＡＮ側モデム部１１４は、受信部１１２により入力される情報を復調する。そして、ＷＡＮ側モデム部１１４は、復調後の情報を制御部２００へ出力する。また、ＷＡＮ側モデム部１１４は、送信データの変調を行う。具体的には、ＷＡＮ側モデム部１１４は、制御部２００で生成される情報を変調する。そして、ＷＡＮ側モデム部１１４は、変調後の情報をパワーアンプ１１３へ出力する。
【００２７】
ＷＡＮ通信用アンテナ１２０は、分配器１１１に接続されている。ＷＡＮ通信用アンテナ１２０は、他の通信端末（不図示）から送信された情報を含む電波を信号に変換する。変換後の情報は、受信部１１２により取得される。また、ＷＡＮ通信用アンテナ１２０は、パワーアンプ１１３により増幅された情報に電波を乗せた後、情報を含む電波を他の通信端末（不図示）へ出力する。
【００２８】
図１に示されるように、ＬＡＮ通信部１３０は、ＬＡＮ通信用アンテナ１４０と、制御部２００に接続されている。ＬＡＮ通信部１１０は、他の通信端末（不図示）との間で情報を通信する。ＬＡＮ通信部１３０は、ＷＬＡＮを使用してパソコンやスマートフォンなどの通信端末にＷＡＮ側の通信を中継する。
【００２９】
ＬＡＮ通信部１３０は、分配器１３１、受信部１３２、パワーアンプ１３３およびＬＡＮ側モデム部１３４を備えている。なお、ＷＡＮ通信部１１０は、本発明の通信部に対応する。
【００３０】
分配器１３１は、ＬＡＮ通信用アンテナ１４０、受信部１３２およびパワーアンプ１３３に接続されている。分配器１３１は、ＬＡＮ通信用アンテナ１４０に入力される情報を、受信部１３２へ分配する。また、分配器１３１は、パワーアンプ１３３から入力される情報を、ＬＡＮ通信用アンテナ１４０へ分配する。
【００３１】
受信部１３２は、分配器１３１およびＬＡＮ側モデム部１３４に接続されている。受信部１３２は、ＬＡＮ通信用アンテナ１４０に入力される情報を受信する。すなわち、受信部１３２は、他の通信端末（不図示）からの情報を、ＬＡＮ通信用アンテナ１４０を介して、受信する。そして、受信部１３２は、他の通信端末（不図示）からの情報を、ＬＡＮ側モデム部１３４へ出力する。
【００３２】
パワーアンプ１３３は、分配器１３１およびＬＡＮ側モデム部１３４に接続されている。パワーアンプ１３３は、ＬＡＮモデム部１３４で変調された情報を増幅して増幅後の情報を分配器１１１へ出力する。
【００３３】
ＬＡＮ側モデム部１３４は、受信部１３２およびパワーアンプ１３３に接続されている。ＬＡＮ側モデム部１３４は、受信データの復調を行う。具体的には、ＬＡＮ側モデム部１３４は、受信部１３２により入力される情報を復調する。そして、ＬＡＮ側モデム部１３４は、復調後の情報を制御部２００へ出力する。また、ＬＡＮ側モデム部１３４は、送信データの変調を行う。具体的には、ＬＡＮ側モデム部１３４は、制御部２００で生成される情報を変調する。そして、ＬＡＮ側モデム部１３４は、変調後の情報をパワーアンプ１３３へ出力する。
【００３４】
ＬＡＮ通信用アンテナ１４０は、分配器１３１に接続されている。ＬＡＮ通信用アンテナ１４０は、他の通信端末（不図示）から送信された情報を含む電波を信号に変換する。変換後の情報は、受信部１３２により取得される。また、ＬＡＮ通信用アンテナ１４０は、パワーアンプ１３３により増幅された情報に電波を乗せた後、情報を含む電波を他の通信端末（不図示）へ出力する。
【００３５】
図１に示されるように、温度検出部１５０は、制御部２００に接続されている。温度検出部１５０は、通信端末１０００の内部の温度を検出温度ＴＡとして検出する。温度検出部１５０ｊは、温度センサとも呼ばれる。
【００３６】
図１に示されるように、温度比較部１６０は、制御部２００に接続されている。温度比較部１６０は、温度検出部１５０により検出された検出温度ＴＡと、予め設定された温度閾値（例えば、Ｔ１、Ｔ２）とを比較する。ここで、温度閾値Ｔ１は、所定の規格で限界温度として規定された温度である。ここでは、例示として、温度閾値Ｔ１は、電気用品の規格（例えば、ＩＥＣ６０９９５０等）で規格として規定されている温度を指すこととする。検出温度ＴＡが温度閾値Ｔ１まで上昇するまでは、通信端末１０００は高速通信を行えるものとする。温度閾値Ｔ２は、人体の一部が接触すると不快と感じられるとされた温度である。通信端末１０００の使用者は、通信端末１０００を手に取って、通信端末１０００の表示部１９０の表示内容を確認する際に、通信端末１０００の端末表面の温度が上昇していると、不快に感じることがある。このような状況を想定して、温度閾値Ｔ２は設定される。温度閾値Ｔ２は、特定人の主観により設定されてもよいし、複数人が不快と感じる温度の平均値により設定されてもよい。
【００３７】
図１に示されるように、人体接触検出部１７０は、制御部２００に接続されている。人体接触検出部１７０は、人体の一部が通信端末１０００の端末表面に接触することを検出する。人体接触検出部１７０は、タッチセンサとも呼ばれる。
【００３８】
ここで、人体接触検出部１７０の設置例を説明する。図２は、通信端末１０００の外観図である。図２（ａ）は、通信端末１０００の表面を示す平面図である。図２（ｂ）は、通信端末１０００の側面を示す図であって、図２（ａ）の矢視Ａを示す図である。図２（ｃ）は、通信端末１０００の裏面を示す図であって、図２（ａ）の矢視Ｃを示す図である。図２（ｄ）は、通信端末１０００の側面を示す図であって、図２（ａ）の矢視Ｂを示す図である。
【００３９】
図２（ａ）〜（ｄ）に示されるように、２つの人体接触検出部１７０が、通信端末１０００の端末表面に設けられている。図２（ａ）〜（ｄ）に示されるように、２つの人体接触検出部１７０は、通信端末１０００の表面および裏面に延びるように、通信端末１０００の側面に、設けられている。なお、表示部１９０は、通信端末１０００の表面に露出するように、設けられている。
【００４０】
図１に戻って、メモリ部１８０は、制御部２００に接続されている。メモリ部１８０は、通信端末１０００で使用する設置値等を記憶する。具体的には、メモリ部１８０は温度閾値Ｔ１および温度閾値Ｔ２等を記憶する。
【００４１】
図１に示されるように、表示部１９０は、制御２００に接続されている。表示部１９０は、制御部２００等で生成される情報等を、表示提供する。また、図２（ａ）に示されるように、表示部１９０は、通信端末１０００の表面に露出するように、設けられている。
【００４２】
図１に示されるように、制御部２００は、ＷＡＮ通信部１１０、ＬＡＮ通信部１３０、温度検出部１５０、温度比較部１６０、人体接触検出部１７０、メモリ部１８０および表示部１９０に接続されている。制御部２００は、通信端末１０００に含まれる全ての構成要素を制御する。制御部２００は、特に、温度比較部１６０による比較結果と、人体接触検出部１７０による検出結果とに基づいて、ＷＡＮ通信部およびＬＡＮ通信部１２０の動作を制御する。また、制御部２００は、通信データ量や通信環境に応じて、通信速度を決定する。通信環境の良し悪しは、通信端末１０００と通信する他の通信端末（不図示、例えばスマートフォン等）から信号を受けた際の受信レベルによって判断する。受信レベルが高いほど通信環境はよいので、高速通信が可能である。通信環境が良好であれば、通信端末１０００は、最大送信速度で通信する。また、通信端末１０００が移動可能なモバイルルータである場合、通信を中継するスマートフォンやパソコンなどと近距離で通信することがある。近距離での通信は、外部の妨害も強いため、通信端末１０００は、最大送信速度で通信する。
【００４３】
以上、通信端末１０００の構成を説明した。
【００４４】
次に、通信端末１０００の動作について説明する。
【００４５】
図３は、通信端末１０００の動作フローを示す図である。
【００４６】
図３に示されるように、通信端末１０００が通信を開始した後、温度検出部１５０が通信端末１０００内部の温度を測定する（Ｓ３０１）。
【００４７】
次に、温度比較部１６０が、温度検出部１５０により検出された検出温度ＴＡと、温度閾値Ｔ１とを比較する（Ｓ３０２）。前述通り、温度閾値Ｔ１は、所定の規格で限界温度として規定された温度である。より具体的には、温度閾値Ｔ１は、電気用品の規格（例えば、ＩＥＣ６０９９５０等）で規格として規定されている温度をいう。
【００４８】
温度閾値Ｔ１が検出温度ＴＡより高くないと、温度比較部１６０により判断された場合（Ｓ３０２、Ｎｏ）、制御部２００は、即座に、ＷＡＮ通信部１１０およびＬＡＮ通信部１３０の双方の動作を停止することで、機能停止する（Ｓ３０７）。これにより、通信端末１０００の内部の温度が温度閾値Ｔ１より高くなることを抑止できる。この結果、通信端末１０００が熱により破損するなどの危険を事前に回避することができる。
【００４９】
温度閾値Ｔ１が検出温度ＴＡより高いと、温度比較部１６０により判断された場合（Ｓ３０２、Ｙｅｓ）、人体接触検出部１７０が、制御部２００により起動され、人体の一部が通信端末１０００の端末表面に接触することを検出する（Ｓ３０３）。
【００５０】
人体接触検出部１７０が人体の一部が通信端末１０００の端末表面に接触することを検出しなかった場合（Ｓ３０３、Ｎｏ）、通信端末１０００は、Ｓ３０１の処理に戻り、Ｓ３０１以降の処理を繰り返す。この間、通信端末１０００は、何の通信制限もなく、通信を継続する。
【００５１】
人体接触検出部１７０が人体の一部が通信端末１０００の端末表面に接触することを検出した場合（Ｓ３０３、Ｙｅｓ）、人体接触検出部１７０が制御部２００により停止され、制御部２００がＷＡＮ通信部１１０またはＬＡＮ通信部１３０の動作を制限することで、通信制御を行う（Ｓ３０４）。ここでは、例えば、制御部２００は、ＷＡＮ通信部１１０またはＬＡＮ通信部１３０の何れか一方の動作を停止する。または、制御部２００は、ＷＡＮ通信部１１０またはＬＡＮ通信部１３０の何れか一方の一部の動作を停止してもよい。さらには、制御部２００は、ＷＡＮ通信部１１０およびＬＡＮ通信部１３０の双方の一部の動作を停止してもよい。これにより、通信端末１０００の内部の温度の上昇が抑制される。また、ＷＡＮ通信部１１０、ＬＡＮ通信部１３０および制御部２００等の電子部品の発熱も抑制される。
【００５２】
Ｓ３０４の処理後、温度比較部１６０が、温度検出部１５０により検出された検出温度ＴＡと、温度閾値Ｔ２とを比較する（Ｓ３０５）。前述通り、温度閾値Ｔ２は、人体の一部が接触すると不快と感じられるとされた温度である。
【００５３】
検出温度ＴＡが温度閾値Ｔ２より高くないと、温度比較部１６０により判断された場合（Ｓ３０５、Ｎｏ）、通信端末１０００はＳ３０３以降の処理を繰り返す。
【００５４】
検出温度ＴＡが温度閾値Ｔ２より高いと、温度比較部１６０により判断された場合（Ｓ３０５、Ｙｅｓ）、人体接触検出部１７０が、再び、制御部２００により起動され、人体の一部が通信端末１０００の端末表面に接触することを検出する（Ｓ３０６）。
【００５５】
人体接触検出部１７０が人体の一部が通信端末１０００の端末表面に接触することを検出しなかった場合（Ｓ３０６、Ｎｏ）、制御部２００は、Ｓ３０４で行った通信制御を解除する（Ｓ３０８）。通信端末１０００は、Ｓ３０８の処理後、Ｓ３０１の処理に戻り、Ｓ３０１以降の処理を繰り返す。この間、通信端末１０００は、何の通信制限もなく、通信を継続する。
【００５６】
人体接触検出部１７０が人体の一部が通信端末１０００の端末表面に接触することを検出した場合（Ｓ３０６、Ｙｅｓ）、制御部２００は、即座に、ＷＡＮ通信部１１０およびＬＡＮ通信部１３０の双方の動作を停止することで、機能停止する（Ｓ３０７）。これにより、通信端末１０００の内部の温度が、人体の一部が接触すると不快と感じられるとされた温度閾値Ｔ２よりも高くなることを抑止できる。この結果、人体の一部が通信端末１０００の表面に触れても、通信端末１０００の使用者が不快と感じないようにすることができる。
【００５７】
以上の通り、本発明の第１の実施の形態における通信端末１０００は、通信部（ＷＡＮ通信部１１０、ＬＡＮ通信部１２０）と、温度検出部１５０と、温度比較部１６０と、人体接触検出部１７０と、制御部２００とを備えている。
【００５８】
通信部は、他の通信端末との間で情報を通信する。温度検出部１５０は、通信１０００内部の温度を検出する。温度比較部１６０は、温度検出部１５０により検出された検出温度ＴＡと、予め設定された温度閾値Ｔ１、Ｔ２とを比較する。人体接触検出部１７０は、人体の一部が通信端末１０００表面に接触することを検出する。制御部２００は、温度比較部１６０による比較結果と、人体接触検出部１７０による検出結果とに基づいて、通信部の動作を制御する。
【００５９】
このように、検出温度ＴＡと温度閾値Ｔ１、Ｔ２とを温度比較部１６０により比較することにより、通信端末１０００の内部の温度が、予め設定された温度閾値Ｔ１、Ｔ２と比較して高いのか否かを検出することができる。また、人体の一部が通信端末１０００表面に接触したか否かを人体接触検出部１７０により検出することができる。そして、制御部２００は、温度比較部１６０による比較結果と、人体接触検出部１７０による検出結果とに基づいて、通信部の動作を制御する。温度比較部１６０による比較結果と人体接触検出部１７０による検出結果の複数の組合せを設定することができ、これら複数の組合せ毎に通信部に対する様々な動作制御を設定することができる。この結果、本発明の通信端末１０００によれば、通信端末１０００の様々な使用状態に応じて、通信端末１０００の温度上昇を適切に制御することができる。このとき、基地局（不図示）等を含めた通信システム（不図示）全体の通信プロトコルを変更する必要はない。すなわち、既存の通信システムの全てに対して、本発明の通信端末１０００は対応することができる。
【００６０】
また、本発明の第１の実施の形態における通信端末１０００において、温度比較部１６０は、温度検出部１５０により検出された検出温度ＴＡと、予め設定された第１の温度閾値Ｔ１および予め設定された第２の温度閾値Ｔ２（但し、Ｔ１＞Ｔ２）とを比較する。第１の温度閾値Ｔ１は、所定の規格で限界温度として規定された温度であり、第２の温度閾値Ｔ２は、人体の一部が接触すると不快と感じられるとされた温度である。
【００６１】
検出温度ＴＡが、第１の温度閾値Ｔ１より高いと（ＴＡ＞Ｔ１）、温度比較部１６０により判断された場合、制御部２００は、通信部（ＷＡＮ通信部１１０、ＬＡＮ通信部１２０）の動作を停止する制御を行う。これにより、検出温度ＴＡが第１の温度閾値Ｔ１よりも高い場合、通信部の動作を完全に停止することができる。そして、通信端末１０００の内部の温度が温度閾値Ｔ１より高くなることを抑止できる。この結果、通信端末１０００が熱により破損するなどの危険を事前に回避することができる。
【００６２】
検出温度ＴＡが、第１の温度閾値Ｔ２より高く、且つ、第１の温度閾値Ｔ１より低いと（Ｔ１＞ＴＡ＞Ｔ２）、温度比較部１６０により判定された場合であって、人体接触検出部１７０が人体の一部が通信端末１０００表面に接触したと検出した場合、制御部２００は、通信部の動作を停止する制御を行う。これにより、通信端末１０００の内部の温度が、人体の一部が接触すると不快と感じられるとされた温度閾値Ｔ２よりも高くなることを抑止できる。この結果、人体の一部が通信端末１０００の表面に触れても、通信端末１０００の使用者が不快と感じないようにすることができる。
【００６３】
検出温度ＴＡが、第１の温度閾値Ｔ１より低いと（Ｔ１＞ＴＡ）、温度比較部１６０により判定された場合であって、人体接触検出部１７０が人体の一部が通信端末１０００表面に接触したと検出した場合、制御部２００は、通信部の動作を制限する制御を行う。これにより、通信端末１０００の内部の温度の上昇が抑制される。また、通信部および制御部２００等の電子部品の発熱も抑制される。
【００６４】
また、本発明の第１の実施の形態における通信端末１０００において、温度比較部１６０は、検出温度ＴＡと第１の温度閾値Ｔ１を比較した後に、検出温度ＴＡと第２の温度閾値Ｔ２とを比較する。これにより、通信端末１０００の内部の温度が、第２の温度閾値Ｔ２に達したことを、より早く検出することができる。この結果、検出温度ＴＡが第１の温度閾値Ｔ１よりも高くなった際に、通信部の動作を早期に完全に停止することができる。これにより、通信端末１０００の内部の温度が温度閾値Ｔ１より高くなることを早期に抑止できる。この結果、通信端末１０００が熱により破損するなどの危険を事前に回避することができる。
【００６５】
本発明の第１の実施の形態における通信端末１０００において、制御部２００は、温度比較部１６０による比較結果と、人体接触検出部１７０による検出結果とに基づいて、通信部の動作を制御するとともに、人体接触検出部１７０の動作を制御する。すなわち、通信端末１０００の内部の温度の上昇を抑制するために、制御部２００は、通信部の動作を停止したり制限したりするだけでなく、人体接触検出部１７０の動作をも停止する。これにより、通信部の動作による発熱だけでなく、人体接触検出部１７０の動作による発熱も抑制することができる。この結果、通信端末の温度上昇をより適切に低減することができる。
【００６６】
本発明の第１の実施の形態における通信端末１０００において、人体接触検出部１７０は、通信端末１０００の表面に露出するように設けられている。これにより、人体接触検出部１７０は、人体の一部が通信端末１０００の表面に触れたことを的確に検出することができる。
【００６７】
＜第２の実施の形態＞
本発明の第２の実施の形態における通信端末１０００の動作について説明する。なお、第２の実施の形態における通信端末１０００の構成は、図１および図２を用いて説明した内容を同様である。
【００６８】
図４は、本発明の第２の実施の形態における通信端末１０００の動作フローを示す図である。
【００６９】
ここで、図３と図４を対比する。図３では、人体接触検出部１７０による検出結果が温度比較部１６０による比較結果よりも優先されていた。このため、人体の一部が通信端末の表面に接触すれば、検出温度ＴＡが第２の温度閾値Ｔ２よりも低くても、強制的に通信制御を行っていた（図３のＳ３０４）。これに対して、図４では、検出温度ＴＡが第２の温度閾値Ｔ２を超えるまで、人体接触検出部１７０が人体の一部が通信端末１０００の表面に接触することを検出しない。この点で、図３および図４は互いに異なる。すなわち、図４では、Ｓ４１０の処理がＳ３０１およびＳ３０２の処理の間に新たに設けられている点で、図３と相違する。
【００７０】
図４に示されるように、通信端末１０００が通信を開始した後、温度検出部１５０が通信端末１０００内部の温度を測定する（Ｓ３０１）。
【００７１】
次に、温度比較部１６０が、温度検出部１５０により検出された検出温度ＴＡと、温度閾値Ｔ２とを比較する（Ｓ４１０）。前述通り、温度閾値Ｔ２は、人体の一部が接触すると不快と感じられるとされた温度である。
【００７２】
検出温度ＴＡが温度閾値Ｔ２より高くないと、温度比較部１６０により判断された場合（Ｓ４１０、Ｎｏ）、Ｓ３０１以降の処理を繰り返す。
【００７３】
検出温度ＴＡが温度閾値Ｔ２より高いと、温度比較部１６０により判断された場合（Ｓ４１０、Ｙｅｓ）、温度比較部１６０が検出温度ＴＡと温度閾値Ｔ１とを比較する（Ｓ３０２）。
【００７４】
次に、温度比較部１６０が、温度検出部１５０により検出された検出温度ＴＡと、温度閾値Ｔ１とを比較する（Ｓ３０２）。前述通り、温度閾値Ｔ１は、所定の規格で限界温度として規定された温度である。より具体的には、温度閾値Ｔ１は、電気用品の規格（例えば、ＩＥＣ６０９９５０等）で規格として規定されている温度をいう。
【００７５】
温度閾値Ｔ１が検出温度ＴＡより高くないと、温度比較部１６０により判断された場合（Ｓ３０２、Ｎｏ）、制御部２００は、即座に、ＷＡＮ通信部１１０およびＬＡＮ通信部１３０の動作を停止することで、機能停止する（Ｓ３０７）。これにより、通信端末１０００の内部の温度が温度閾値Ｔ１より高くなることを抑止できる。この結果、通信端末１０００が熱により破損するなどの危険を事前に回避することができる。
【００７６】
温度閾値Ｔ１が検出温度ＴＡより高いと、温度比較部１６０により判断された場合（Ｓ３０２、Ｙｅｓ）、人体接触検出部１７０が、制御部２００により起動され、人体の一部が通信端末１０００の端末表面に接触することを検出する（Ｓ３０３）。
【００７７】
人体接触検出部１７０が人体の一部が通信端末１０００の端末表面に接触することを検出しなかった場合（Ｓ３０３、Ｎｏ）、Ｓ３０１の処理に戻り、Ｓ３０１以降の処理を繰り返す。この間、通信端末１０００は、何の通信制限もなく、通信を継続する。
【００７８】
人体接触検出部１７０が人体の一部が通信端末１０００の端末表面に接触することを検出した場合（Ｓ３０３、Ｙｅｓ）、人体接触検出部１７０が制御部２００により停止され、制御部２００がＷＡＮ通信部１１０またはＬＡＮ通信部１３０の動作を制限することで、通信制御を行う（Ｓ３０４）。ここでは、例えば、制御部２００は、ＷＡＮ通信部１１０またはＬＡＮ通信部１３０の何れか一方の動作を停止する。または、制御部２００は、ＷＡＮ通信部１１０またはＬＡＮ通信部１３０の何れか一方の一部の動作を停止してもよい。さらには、制御部２００は、ＷＡＮ通信部１１０およびＬＡＮ通信部１３０の双方の一部の動作を停止してもよい。これにより、通信端末１０００の内部の温度の上昇が抑制される。また、ＷＡＮ通信部１１０、ＬＡＮ通信部１３０および制御部２００等の電子部品の発熱も抑制される。
【００７９】
Ｓ３０４の処理後、温度比較部１６０が、温度検出部１５０により検出された検出温度ＴＡと、温度閾値Ｔ２とを比較する（Ｓ３０５）。前述通り、温度閾値Ｔ２は、人体の一部が接触すると不快と感じられるとされた温度である。
【００８０】
検出温度ＴＡが温度閾値Ｔ２より高くないと、温度比較部１６０により判断された場合（Ｓ３０５、Ｎｏ）、Ｓ３０３以降の処理を繰り返す。
【００８１】
検出温度ＴＡが温度閾値Ｔ２より高いと、温度比較部１６０により判断された場合（Ｓ３０５、Ｙｅｓ）、人体接触検出部１７０が、再び、制御部２００により起動され、人体の一部が通信端末１０００の端末表面に接触することを検出する（Ｓ３０６）。
【００８２】
人体接触検出部１７０が人体の一部が通信端末１０００の端末表面に接触することを検出しなかった場合（Ｓ３０６、Ｎｏ）、制御部２００は、Ｓ３０４で行った通信制御を解除する（Ｓ３０８）。通信端末１０００は、Ｓ３０８の処理後、Ｓ３０１の処理に戻り、Ｓ３０１以降の処理を繰り返す。この間、通信端末１０００は、何の通信制限もなく、通信を継続する。
【００８３】
人体接触検出部１７０が人体の一部が通信端末１０００の端末表面に接触することを検出した場合（Ｓ３０６、Ｙｅｓ）、制御部２００は、即座に、ＷＡＮ通信部１１０およびＬＡＮ通信部１３０の動作を停止することで、機能停止する（Ｓ３０７）。これにより、通信端末１０００の内部の温度が、人体の一部が接触すると不快と感じられるとされた温度閾値Ｔ２よりも高くなることを抑止できる。この結果、人体の一部が通信端末１０００の表面に触れても、通信端末１０００の使用者が不快と感じないようにすることができる。
【００８４】
このような構成であっても、第１の実施の形態で説明した内容を同様の効果を奏する。
【００８５】
また、本発明の第２の実施の形態における通信端末１０００において、温度比較部１６０は、検出温度ＴＡと第１の温度閾値Ｔ１を比較する前（Ｓ３０２）に、検出温度ＴＡと第２の温度閾値Ｔ２とを比較する（Ｓ４１０）。これによっても、第１の実施の形態で説明した内容を同様の効果を奏する。また、検出温度ＴＡが第２の温度閾値Ｔ２を超えるまで、人体接触検出部１７０が、人体の一部が通信端末１０００の表面に接触することを検出しないように設定することができる。
【００８６】
＜第３の実施の形態＞
本発明の第３の実施の形態における通信端末１０００Ａの構成について説明する。
【００８７】
図５は、通信端末１０００Ａの構成を示すブロック図である。なお、図５では、図１〜４で示した各構成要素と同等の構成要素には、図１〜４に示した符号と同等の符号を付している。
【００８８】
通信端末１０００Ａは、例えば、ルータ装置や、携帯電話機や、携帯情報端末などである。図５では、ＷＬＡＮ（Wireless LAN）  ＭＩＮＯ（multiple-input and multiple-output）機能を有するモバイルルータ装置を例示している。この通信端末１０００Ａは、常に手に持って使用されるだけでなく、鞄の中や机上で使用されることも可能である。
【００８９】
図５に示されるように、通信端末１０００Ａは、一対のＬＡＮ通信部１３０と、一対のＬＡＮ通信用アンテナ１４０と、温度検出部１５０と、温度比較部１６０と、人体接触検出部１７０と、メモリ部１８０と、表示部１９０と、制御部２００とを備えている。なお、ＬＡＮ通信部１３０は、本発明の通信部に対応する。
【００９０】
ここで、図１と図５を対比する。図１では、通信端末１０００は、通信部として、ＷＡＮ通信部１１０とＬＡＮ通信部１３０を備えていた。これに対して、図５では、通信端末１０００Ａは、通信部として、一対のＬＡＮ通信部１３０を備えている。この点で図１および図５は互いに相違する。
【００９１】
また、図１では、通信端末１０００は、ＷＡＮ通信部１１０に接続されたＷＡＮ用アンテナ１２０を備えていた。これに対して、図５では、通信端末１０００Ａは、ＷＡＮ用アンテナ１２０を備えていない。その代わりに、通信端末１０００Ａは、一対のＬＡＮ用アンテナ１４０を備えている。この点でも図１および図５は互いに相違する。
【００９２】
図５に示されるように、一対のＬＡＮ通信部１３０の各々は、制御部２００およびＬＡＮ用アンテナ１４０に接続されている。
【００９３】
図５に示される各構成要素について、具体的な機能は、第１の実施の形態で説明した内容と同様である。
【００９４】
以上、通信端末１０００Ａの構成を説明した。
【００９５】
次に、通信端末１０００Ａの動作について説明する。
【００９６】
通信端末１０００Ａの動作フローは、図３および図４と同様である。
【００９７】
一方、通信端末１０００Ａの動作は、Ｓ３０４およびＳ３０７の処理内容で、第１の実施の形態と異なるので、以下に説明する。
【００９８】
Ｓ３０４では、人体接触検出部１７０が制御部２００により停止され、制御部２００が一対のＬＡＮ通信部１３０の動作を制限することで、通信制御を行う。ここでは、例えば、制御部２００は、一対のＬＡＮ通信部１３０の一方の動作を停止する。または、制御部２００は、一対のＬＡＮ通信部１３０の一方の一部の動作を停止してもよい。さらには、制御部２００は、一対のＬＡＮ通信部１３０の双方の一部の動作を停止してもよい。これにより、通信端末１０００の内部の温度の上昇が抑制される。また、ＬＡＮ通信部１３０および制御部２００等の電子部品の発熱も抑制される。とくに、Ｗ−ＣＤＭＡなどで通信事業者との間を介して通信する場合、基地局によって通信ルート等が制御されるため、ＷＬＡＮ接続のみに設定する必要がある。
【００９９】
Ｓ３０７では、制御部２００は、即座に、一対のＬＡＮ通信部１３０の双方の動作を停止することで、機能停止する（Ｓ３０７）。これにより、通信端末１０００の内部の温度が温度閾値Ｔ１より高くなることを抑止できる。この結果、通信端末１０００が熱により破損するなどの危険を事前に回避することができる。
【０１００】
以上の通り、本発明の第３の実施の形態における通信端末１０００Ａは、一対の通信部（ＬＡＮ通信部１３０）を備えている。一対の通信部は、他の通信端末との間で情報を通信する。制御部２００は、温度比較部１６０による比較結果と、人体接触検出部１７０による検出結果とに基づいて、一対の通信部の何れか一方または双方の動作を制御する。
【０１０１】
一対の通信部（ＬＡＮ通信部１３０）が同時に動作すると、１つの通信部が動作する場合と比較して２倍の発熱が生じる。そこで、制御部２００は、温度比較部１６０による比較結果と、人体接触検出部１７０による検出結果とに基づいて、一対の通信部の何れか一方または双方の動作を制御する。このとき、温度比較部１６０による比較結果と人体接触検出部１７０による検出結果の複数の組合せを設定することができ、これら複数の組合せ毎に通信部に対する様々な動作制御を設定することができる。この結果、本発明の通信端末１０００Ａによれば、通信端末１０００Ａの使用状態に応じて、通信端末１０００Ａの温度上昇を適切に制御することができる。
【０１０２】
また、本発明の第３の実施の形態における通信端末１０００Ａにおいて、温度比較部１６０は、温度検出部１５０により検出された検出温度ＴＡと、予め設定された第１の温度閾値Ｔ１および予め設定された第２の温度閾値Ｔ２（但し、Ｔ１＞Ｔ２）とを比較する。第１の温度閾値Ｔ１は、所定の規格で限界温度として規定された温度であり、第２の温度閾値Ｔ２は、人体の一部が接触すると不快と感じられるとされた温度である。
【０１０３】
検出温度ＴＡが、第１の温度閾値Ｔ１より高いと（ＴＡ＞Ｔ１）、温度比較部１６０により判断された場合、制御部２００は、一対の通信部（ＬＡＮ通信部１２０）の双方の動作を停止する制御を行う。これにより、検出温度ＴＡが第１の温度閾値Ｔ１よりも高い場合、全通信部の動作を完全に停止することができる。これにより、通信端末１０００Ａの内部の温度が温度閾値Ｔ１より高くなることを抑止できる。この結果、通信端末１０００Ａが熱により破損するなどの危険を事前に回避することができる。
【０１０４】
検出温度ＴＡが、第１の温度閾値Ｔ２より高く、且つ、第１の温度閾値Ｔ１より低いと（Ｔ１＞ＴＡ＞Ｔ２）、温度比較部１６０により判定された場合であって、人体接触検出部１７０が人体の一部が通信端末１０００表面に接触したと検出した場合、制御部２００は、一対の通信部の双方の動作を停止する制御を行う。これにより、通信端末１０００の内部の温度が、人体の一部が接触すると不快と感じられるとされた温度閾値Ｔ２よりも高くなることを抑止できる。この結果、人体の一部が通信端末１０００の表面に触れても、通信端末１０００の使用者が不快と感じないようにすることができる。
【０１０５】
検出温度ＴＡが、第１の温度閾値Ｔ１より低いと（Ｔ１＞ＴＡ）、温度比較部１６０により判定された場合であって、人体接触検出部１７０が人体の一部が通信端末１０００表面に接触したと検出した場合、制御部２００は、一対の通信部のうち少なくとも一方の動作を制限する制御を行う。これにより、通信端末１０００の内部の温度の上昇が抑制される。また、通信部および制御部２００等の電子部品の発熱も抑制される。
【０１０６】
ここで、通信端末１０００が移動可能なモバイルルータである場合、通信を中継するスマートフォンやパソコンなどと近距離で通信することがある。近距離での通信は、外部の妨害も強いため、通信端末１０００は、最大送信速度で通信する。例えば、通信端末１０００ＡがＭＩＭＯ通信により他の通信端末（不図示）と接続したいら場合、一対の無線部の双方が動作する。これにより、通信端末１０００の内部の温度が上昇する。このため、前述のように、強制的に、一対の無線部のうちの一方を停止する方法をとりうる。さらに、通信端末１０００Ａが他の通信端末（不図示）と近距離無線通信を行っている場合、遠距離無線通信と比較して、通信端末１０００Ａの送信出力を落としても安定した通信を維持できる。このため、送信出力を落として無線部のパワーアンプの電流消費を削減して、無線部の発熱を抑制することができる。
【０１０７】
また、本発明の第３の実施の形態における通信端末１０００Ａにおいて、一対の通信部（ＬＡＮ通信部１２０）の各々は、ＭＩＭＯ機能を対応している。これにより、通信端末１０００Ａは、ＭＩＭＯ機能を具備することができる。
【０１０８】
＜第４の実施の形態＞
本発明の第４の実施の形態における通信端末１０００Ｂの構成について説明する。
【０１０９】
図５は、通信端末１０００Ｂの構成を示すブロック図である。なお、図６では、図１〜５で示した各構成要素と同等の構成要素には、図１〜５に示した符号と同等の符号を付している。
【０１１０】
通信端末１０００Ｂは、例えば、ルータ装置や、携帯電話機や、携帯情報端末などである。図６では、ＷＬＡＮ  ＭＩＮＯ機能を有するモバイルルータ装置を例示している。この通信端末１０００Ｂは、常に手に持って使用されるだけでなく、鞄の中や机上で使用されることも可能である。
【０１１１】
図６に示されるように、通信端末１０００Ａは、一対のＬＡＮ通信部１３０と、一対のＬＡＮ通信用アンテナ１４０と、温度検出部１５０と、温度比較部１６０と、人体接触検出部１７０と、メモリ部１８０と、表示部１９０と、制御部２００と、ＷＬＡＮ通信モード検出部２１０を備えている。なお、ＬＡＮ通信部１３０は、本発明の通信部に対応する。ＷＬＡＮ通信モード検出部２１０は、本発明の通信モード検出部に対応する。
【０１１２】
ここで、図５と図６を対比する。図６では、通信端末１０００Ｂは、ＷＬＡＮ通信モード検出部２１０を備えている点で、図５と相違する。
【０１１３】
図６に示されるように、ＷＬＡＮ通信モード検出部２１０は、制御部２００に接続されている。
【０１１４】
ＷＬＡＮ通信モード検出部２１０は、互いに異なる通信速度が設定された通信モードであって、通信端末１０００Ｂが通信している通信モードを検出する。
【０１１５】
ここで、ＷＬＡＮの通信モードは、ＩＥＥＥ（The Institute of Electrical and Electronics Engineers, Inc.）によって規定されている。この実施形態では、１１ｂモード、１１ｇモードおよび１１ｎモードの３つのモードが設定されているものとする。１１ｂモードは、ＩＥＥＥ８０１．１１ｂに対応するモードである。１１ｇモードは、ＩＥＥＥ８０１．１１ｇに対応するモードである。１１ｎモードは、ＩＥＥＥ８０１．１１ｎに対応するモードである。
【０１１６】
以上、通信端末１０００Ｂの構成を説明した。
【０１１７】
次に、通信端末１０００Ｂの動作について説明する。図７は、通信端末１０００Ｂの動作フローを示す図である。
【０１１８】
図７に示されるように、通信端末１０００Ｂが通信を開始した後、ＷＬＡＮ通信モード検出部２１０が、通信端末１０００Ｂが通信している通信モードを確認する（Ｓ５０１）。１１ｂモード、１１ｇモードおよび１１ｎモードの３つのモードのうちで、最も消費電流が大きいモードは、１１ｎモードである。この１１ｎモードで通信端末１０００Ｂを動作させた場合、通信端末１０００Ｂの内部の温度は他のモードと比較して高くなる。したがって、ここでは、ＷＬＡＮ通信モード検出部２１０が、１１ｎモードに設定されているか否かを判断する（Ｓ５０２）。
【０１１９】
１１ｎモードに設定されていないとＷＬＡＮ通信モード検出部２１０により判断された場合（Ｓ５０２、Ｎｏ）、通信端末１０００ＢはＳ５０１以降の処理を繰り返す。
【０１２０】
１１ｎモードに設定されているとＷＬＡＮ通信モード検出部２１０により判断された場合（Ｓ５０２、Ｙｅｓ）、人体接触検出部１７０が、制御部２００により起動され、人体の一部が通信端末１０００の端末表面に接触することを検出する（Ｓ３０３）。
【０１２１】
人体接触検出部１７０が人体の一部が通信端末１０００の端末表面に接触することを検出しなかった場合（Ｓ３０３、Ｎｏ）、通信端末１０００は、Ｓ５０１の処理に戻り、Ｓ３０１以降の処理を繰り返す。この間、通信端末１０００Ｂは、何の通信制限もなく、通信を継続する。
【０１２２】
人体接触検出部１７０が人体の一部が通信端末１０００の端末表面に接触することを検出した場合（Ｓ３０３、Ｙｅｓ）、人体接触検出部１７０が制御部２００により停止され、制御部２００がＷＡＮ通信部１１０またはＬＡＮ通信部１３０の動作を制限することで、通信制御を行う（Ｓ３０４）。ここでは、例えば、通信端末１０００ＢがＭＩＭＯを使用して通信している場合には、制御部２００は、一対のＬＡＮ通信部１３０の何れか一方の動作を停止する。または、制御部２００は、通信モードを１１ｎ以外のモード（例えば、１１ｇモード）に変更する。または、制御部２００は、一対のＬＡＮ通信部１３０の何れか一方の一部の動作を停止してもよい。さらには、制御部２００は、一対のＬＡＮ通信部１３０の双方の一部の動作を停止してもよい。これにより、通信端末１０００の内部の温度の上昇が抑制される。また、ＬＡＮ通信部１３０および制御部２００等の電子部品の発熱も抑制される。なお、ここでは、通信端末１０００Ｂの内部の温度が上昇することを抑制方法として、通信制御を説明したが、通信端末１０００Ｂへの充電を停止する方法を採用してもよい。
【０１２３】
Ｓ３０４の処理後、温度比較部１６０が、温度検出部１５０により検出された検出温度ＴＡと、温度閾値Ｔ２とを比較する（Ｓ５０５）。前述通り、温度閾値Ｔ２は、人体の一部が接触すると不快と感じられるとされた温度である。
【０１２４】
温度閾値Ｔ２が検出温度ＴＡより高くないと、温度比較部１６０により判断された場合（Ｓ５０５、Ｎｏ）、通信端末１０００ＢはＳ３０３以降の処理を繰り返す。
【０１２５】
温度閾値Ｔ２が検出温度ＴＡより高いと、温度比較部１６０により判断された場合（Ｓ５０５、Ｙｅｓ）、制御部２００は、Ｓ３０４で行った通信制御を解除する（Ｓ３０８）。この後、通信端末１０００Ｂは、何の通信制限もなく、通信を継続する。
【０１２６】
次に、ＷＬＡＮ通信モード検出部２１０は、再び、通信端末１０００Ｂが通信している通信モードを確認する（Ｓ５０９）。ここでも、ＷＬＡＮ通信モード検出部２１０は、１１ｎモードに設定されているか否かを判断する（Ｓ５１０）。
【０１２７】
１１ｎモードに設定されていないとＷＬＡＮ通信モード検出部２１０により判断された場合（Ｓ５１０、Ｎｏ）、通信端末１０００ＢはＳ５０１以降の処理を繰り返す。
【０１２８】
１１ｎモードに設定されているとＷＬＡＮ通信モード検出部２１０により判断された場合（Ｓ５１０、Ｙｅｓ）、通信端末１０００ＢはＳ３０３以降の処理を行う。
【０１２９】
以上、通信端末１０００Ｂの動作について説明した。
【０１３０】
以上の通り、本発明の第４の実施の形態における通信端末１０００Ｂは、互いに異なる通信速度を設定された通信モードを検出するＷＬＡＮ通信モード検出部２１０を備えている。制御部２００は、温度比較部１６０による比較結果と、ＷＬＡＮ通信モード検出部２１０の検出結果と、人体接触検出部１７０による検出結果とに基づいて、通信部（ＬＡＮ通信部１３０）の動作を制御する。これにより、通信モードの違い（通信速度）を含ませて通信制御を行い、通信端末１０００Ｂの内部の温度の上昇を抑制することができる。
【０１３１】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１３２】
１０００、１０００Ａ、１０００Ｂ    通信端末
１１０    ＷＡＮ通信部
１１１    分配器
１１２    受信部
１１３    パワーアンプ
１１４    ＷＡＮ側モデム部
１２０    ＷＡＮ通信用アンテナ
１３０    ＬＡＮ通信部
１３１    分配器
１３２    受信部
１３３    パワーアンプ
１３４    ＬＡＮ側モデム部
１４０    ＬＡＮ通信用アンテナ
１５０    温度検出部
１６０    温度比較部
１７０    人体接触検出部
１８０    メモリ部
１９０    表示部
２００    制御部
２１０    ＷＬＡＮ通信モード検出部
【図１】
2015226177.tif 000003
【図２】
2015226177.tif 000004
【図３】
2015226177.tif 000005
【図４】
2015226177.tif 000006
【図５】
2015226177.tif 000007
【図６】
2015226177.tif 000008
【図７】
2015226177.tif 000009